(57)【要約】【課題】ガス供給管の位置ずれを抑制できる加熱調理器を提供することを目的とする。【解決手段】加熱調理器は、設置部と、一対のガス供給管２１，２２と、移動規制具７とを備えている。設置部には、バーナー４が設置される。一対のガス供給管２１，２２は、設置部上に位置し、バーナー４に燃料ガスを供給する。移動規制具７は、設置部に取り付けられる。移動規制具７は、一対の移動規制部７１を有している。一対の移動規制部７１は、一対のガス供給管２１，２２にそれぞれ一対一で対応する。一対の移動規制部７１の各々は、対応するガス供給管２１又は２２の上方への移動を規制する。【選択図】図４
2020101332.tif 000002
【特許請求の範囲】
【請求項１】
バーナーが設置される設置部と、
前記設置部上に位置し、前記バーナーに燃料ガスを供給する一対のガス供給管と、
前記設置部に取り付けられる移動規制具とを備え、
前記移動規制具は、
前記一対のガス供給管にそれぞれ一対一で対応する一対の移動規制部を有し、
前記一対の移動規制部の各々は、対応するガス供給管の上方への移動を規制する、
加熱調理器。
【請求項２】
前記移動規制具は、
前記設置部に対して固着具で固定される取付部と、
前記設置部に引っ掛けられる少なくとも一つの引掛部とを有し、
前記移動規制具は、前記取付部が前記設置部に前記固着具で固定され、かつ、前記少なくとも一つの引掛部が前記設置部に引っ掛けられた固定状態において、前記一対の移動規制部が前記一対のガス供給管をそれぞれ下方に押す弾性力を発生する、
請求項１に記載の加熱調理器。
【請求項３】
前記移動規制具は、
前記少なくとも一つの引掛部として、一対の引掛部を有し、
前記取付部は、前記一対の引掛部の間に位置した、
請求項２に記載の加熱調理器。
【請求項４】
前記設置部に取り付けられ、前記一対のガス供給管を下方から支持する支持具を更に備え、
前記支持具は、前記固着具により、前記設置部に対して固定される、
請求項２又は請求項３に記載の加熱調理器。
【請求項５】
前記設置部に取り付けられ、前記一対のガス供給管を下方から支持する支持具を更に備え、
前記支持具は、
前記移動規制具の上方への移動を規制する規制片を有した、
請求項１〜３のいずれか１項に記載の加熱調理器。
【請求項６】
前記支持具は、前記設置部に沿う一方向に移動することで、前記規制片が前記移動規制具の上方への移動を規制しない未固定位置から、前記規制片が前記移動規制具の上方への移動を規制する固定位置まで、移動可能であり、
前記支持具は、前記固定位置に位置した状態で、前記設置部に固定される、
請求項５に記載の加熱調理器。
【発明の詳細な説明】
【技術分野】
【０００１】
本開示は、加熱調理器に関する。
【背景技術】
【０００２】
特許文献１には、ガスコンロが開示されている。このガスコンロでは、バーナーが主バーナー部用混合管と副バーナー部用混合管とを有している。主バーナー部用混合管と副バーナー部用混合管とには、一対のガス供給管からそれぞれ燃料ガスが噴射される。これにより、各混合管内では、燃料ガスの噴射に伴い吸引された一次空気と、燃料ガスとの混合気が生成される。
【先行技術文献】
【特許文献】
【０００３】
【特許文献１】特開２０１７−１２５６３７号公報
【発明の概要】
【発明が解決しようとする課題】
【０００４】
ところで、上述した各ガス供給管の位置がずれると、混合管に供給される燃料ガスの量や一次空気の量が変わる可能性がある。
【０００５】
本開示は上記事由に鑑みてなされており、ガス供給管の位置ずれを抑制できる加熱調理器を提供することを目的とする。
【課題を解決するための手段】
【０００６】
本開示の一態様に係る加熱調理器は、以下に示す構成を有する。加熱調理器は、設置部、一対のガス供給管及び移動規制具を備えている。前記設置部には、バーナーが設置される。前記一対のガス供給管は、前記設置部上に位置し、前記バーナーに燃料ガスを供給する。前記移動規制具は、前記設置部に取り付けられる。前記移動規制具は、一対の移動規制部を有している。前記一対の移動規制部は、前記一対のガス供給管にそれぞれ一対一で対応する。前記一対の移動規制部の各々は、対応する前記ガス供給管の上方への移動を規制する。
【発明の効果】
【０００７】
本開示の一態様に係る加熱調理器は、ガス供給管の位置ずれを抑制できる。
【図面の簡単な説明】
【０００８】
【図１】図１は、本開示の一実施形態に係る加熱調理器の斜視図である。
【図２】図２は、同上の加熱調理器の天板の図示を省略した拡大斜視図である。
【図３】図３は、同上の加熱調理器の要部を一部断面で示した斜視図である。
【図４】図４は、同上の加熱調理器が備えるバーナーの流入口及びその近傍部分を示した斜視図である。
【図５】図５は、同上の加熱調理器の要部の分解斜視図である。
【図６】図６は、同上の加熱調理器の概略構成図である。
【図７】図７は、同上の加熱調理器が備える支持具の斜視図である。
【図８】図８Ａ及び図８Ｂは、同上の支持具を設置する様子を順に示した斜視図である。
【図９】図９Ａ〜図９Ｃは、同上の加熱調理器が備える移動規制具及び支持具を設置する様子を順に示した斜視図である。
【図１０】図１０は、同上の加熱調理器のガイド部材及びその近傍部分を一部断面で示した斜視図である。
【図１１】図１１は、図１０のＸ部分の拡大図である。
【発明を実施するための形態】
【０００９】
図１に示す本実施形態の加熱調理器１は、ガスこんろであって、詳しくは、キッチンカウンター９０に形成された孔に上方より挿入された状態で、キッチンカウンター９０に設置されるドロップインこんろである。なお、以下では、加熱調理器１が設置された状態における方向を用いて、加熱調理器１の各要素について説明する。
【００１０】
本実施形態の加熱調理器１は、調理器本体２を備えている。調理器本体２は、ケーシング２０と天板２３とを有している。調理器本体２の外郭は、ケーシング２０と天板２３とで構成されている。
【００１１】
ケーシング２０は、上面に開口を有した矩形の箱状に形成されている。図２に示すように、本実施形態の調理器本体２は、一対のバーナー台３を更に有している。一対のバーナー台３は、ケーシング２０の底部の上方において左右方向に間隔をあけて並んでおり、各バーナー台３は、ケーシング２０の底部に取り付けられている。各バーナー台３は、同様の構成を有するため、以下では、加熱調理器１を前方から見て左側に位置する一方のバーナー台３について詳述し、他方のバーナー台３における一方のバーナー台３と同様の構成については説明を省略する。
【００１２】
本実施形態のバーナー台３は、下面に開口を有した、矩形の箱状に形成されている。バーナー台３は、水平な平板状の台板部３０を有している。バーナー台３の上面は、台板部３０の上面である。
【００１３】
調理器本体２は、一対のバーナー台３にそれぞれ一対一で対応する一対のバーナー４を更に有している。各バーナー４は、対応するバーナー台３の台板部３０の上方に位置しており、対応する台板部３０にねじ等の固着具によって固定されている。すなわち、各バーナー台３は、バーナー４が設置される設置部を構成している。
【００１４】
図１に示すように、天板２３は、ケーシング２０上に設置されている。天板２３は、例えば、ガラス製のプレートである。各バーナー４は天板２３に形成された孔を貫通して天板２３よりも上方に突出している。
【００１５】
本実施形態の加熱調理器１は、一対のバーナー４にそれぞれ一対一で対応する一対の五徳１０を更に備えている。各五徳１０は、天板２３の上面に位置し、対応するバーナー４の周囲に位置している。各五徳１０は、対応するバーナー４によって加熱される鍋等の調理器具を支持する。
【００１６】
本実施形態の各バーナー４は、外側の燃焼部分と内側の燃焼部分とを有する親子バーナー（二重バーナー）である。各バーナー４は、同様の構成を有するため、以下では、左側に位置する一方のバーナー４について詳述し、他方のバーナー４における一方のバーナー４と同様の構成については説明を省略する。
【００１７】
図３に示すように、本実施形態のバーナー４は、バーナー本体４０と、バーナーキャップ４３とを有している。バーナー本体４０は、例えば、アルミダイキャストによって成形される。バーナー本体４０は、バーナー本体４０の一部を構成するバーナーヘッド４５を有している。
【００１８】
本実施形態のバーナーヘッド４５は、底部４６、外周壁部４７及び内周壁部４８を有している。外周壁部４７は、中心軸が上下方向と変更な筒状に形成されており、底部４６の外周縁から上方に向かって突出している。内周壁部４８は、外周壁部４７の内側に位置している。内周壁部４８は、外周壁部４７と同心の筒状に形成されており、底部４６の中央部分から上方に向かって突出している。外周壁部４７と内周壁部４８との間には、第１空間４１が形成されており、内周壁部４８の内側には、第２空間４２が形成されている。第１空間４１と第２空間４２とは、内周壁部４８によって仕切られている。
【００１９】
バーナー本体４０は、第１混合管５１と第２混合管５２（図２参照）とからなる一対の混合管５１，５２を更に有している。第１混合管５１及び第２混合管５２には、後述する一対のガス供給管２１，２２（図２参照）からそれぞれ燃料ガスが供給される。各混合管５１，５２に燃料ガスが供給されるとき、各混合管５１，５２には、対応するガス供給管２１，２２から吹き出された燃料ガスと共に周囲の空気が一次空気として供給される。第１混合管５１に供給された燃料ガス及び一次空気は、第１混合管５１の内部で混合された後、第１空間４１に供給される。第２混合管５２に供給された燃料ガス及び一次空気は、第２混合管５２の内部で混合された後、第２空間４２に供給される。
【００２０】
本実施形態の第１混合管５１は、外周壁部４７から外側に向かって突出している。第１混合管５１は、外周壁部４７と一体に形成されている。本実施形態の第１混合管５１は、外周壁部４７から他方のバーナー４に向かって突出しており、水平で、かつ、左右方向に延びた直線状に形成されている。第１混合管５１における上流側の端部（外周壁部４７とは反対側の端部）は、他方のバーナー４に向かって開口した流入口５１０を構成している。以下、必要に応じて、流入口５１０を第１流入口５１０という。第１流入口５１０は、第１混合管５１の内側の空間を経て第１空間４１に通じている。本実施形態の第１流入口５１０は円形の開口である。
【００２１】
本実施形態の第２混合管５２（図２参照）は、内周壁部４８から外側に向かって突出し、外周壁部４７を貫通して外周壁部４７の外側に向かって突出している。第２混合管５２、内周壁部４８及び外周壁部４７は、一体に形成されている。本実施形態の第２混合管５２は、外周壁部４７から他方のバーナー４に向かって突出しており、第１混合管５１と平行な直線状に形成されている。第２混合管５２における上流側の端部（内周壁部４８とは反対側の端部）は、他方のバーナー４に向かって開口した流入口５２０（図４参照）を構成している。以下、必要に応じて流入口５２０を第２流入口５２０という。第２流入口５２０は、第２混合管５２の内側の空間を経て第２空間４２に通じている。本実施形態の第２流入口５２０は円形の開口である。
【００２２】
図５に示すように、第１流入口５１０及び第２流入口５２０は、前後方向に間隔をあけて並んでおり、左右方向における位置及び上下方向における位置が互いに同じである。第１流入口５１０及び第２流入口５２０の各々の開口方向は、左右方向と平行であり、第１流入口５１０の開口方向と、第２流入口５２０の開口方向とは、同じである。
【００２３】
本実施形態では、第１混合管５１の上流側（第１流入口５１０側）の端部と、第２混合管５２の上流側（第２流入口５２０側）の端部とがつながっている。第１混合管５１の上流側の端面と、第２混合管５２の上流側の端面とは連続しており、バーナー本体４０は、第１混合管５１の上流側の端面と、第２混合管５２の上流側の端面とで構成された端面４９を有している。
【００２４】
図３に示すように、バーナーヘッド４５には、バーナーキャップ４３が取り付けられている。本実施形態のバーナーキャップ４３は、第１バーナーキャップ４３１と、第２バーナーキャップ４３２とを有している。第１バーナーキャップ４３１及び第２バーナーキャップ４３２の各々は、例えばアルミダイキャストによって成形される。
【００２５】
第１バーナーキャップ４３１は、上方から見て環状に形成されている。第１バーナーキャップ４３１は、バーナーヘッド４５上に位置し、バーナーヘッド４５に取り付けられている。第１バーナーキャップ４３１の下面には、第１バーナーキャップ４３１の周方向の全長にわたる環状の溝４３３が形成されている。
【００２６】
溝４３３は、バーナー本体４０の第１空間４１に通じている。第１バーナーキャップ４３１の外周部には、第１バーナーキャップ４３１の周方向に間隔をあけて、複数の炎孔４４１が形成されている。以下、必要に応じて、各炎孔を第１炎孔４４１という。
【００２７】
各第１炎孔４４１は、一端が溝４３３に通じ、他端が第１バーナーキャップ４３１の外周側に向かって開口している。バーナー本体４０の第１混合管５１を経て第１空間４１に供給された燃料ガスと一次空気とからなる混合気体は、溝４３３に供給され、この後、複数の第１炎孔４４１から第１バーナーキャップ４３１の外周側に向かって吹き出される。
【００２８】
第２バーナーキャップ４３２は、上方から見て環状の第１バーナーキャップ４３１の内側に位置している。第２バーナーキャップ４３２は、バーナーヘッド４５の上方に位置し、バーナーヘッド４５に取り付けられている。第２バーナーキャップ４３２の下面には、凹部４３４が形成されている。第２バーナーキャップ４３２の外周部には、第２バーナーキャップ４３２の周方向に間隔をあけて複数の炎孔４４２が形成されている。以下、必要に応じて、各炎孔４４２を第２炎孔４４２という。
【００２９】
各第２炎孔４４２は、一端が凹部４３４に通じ、他端が第２バーナーキャップ４３２の外周側に向かって開口している。バーナー本体４０の第２混合管５２を経て第２空間４２に供給された燃料ガスと一次空気とからなる混合気体は、凹部４３４に供給され、この後、複数の第２炎孔４４２から第２バーナーキャップ４３２の外周側に向かって吹き出される。
【００３０】
本実施形態の調理器本体２は、一対のバーナー４に一対一で対応する一対の点火プラグ２４（図２参照）を更に有している。本実施形態の各点火プラグ２４は、対応するバーナー４の第１バーナーキャップ４３１と第２バーナーキャップ４３２との間に位置している。バーナー４は、対応する点火プラグ２４がスパークを生じさせることによって、一部の第２炎孔４４２から吹き出された混合気体が点火される。この点火により生じた火炎が火種として、他の第２炎孔４４２から吹き出された混合気体及び複数の第１炎孔４４１から吹き出された混合気体に火移りし、これによってバーナー４は、燃焼状態となる。
【００３１】
図２に示すように、調理器本体２は、複数のガス供給管２１，２２を更に有している。本実施形態では、複数のバーナー４に一対ずつのガス供給管２１，２２が設けられており、調理器本体２は、計二対のガス供給管２１，２２を有している。各対のガス供給管２１，２２は、同様の構成を有するため、以下では、左側に位置する一対のガス供給管２１，２２について詳述し、他の一対のガス供給管２１，２２における同様の構成については説明を省略する。
【００３２】
一対のガス供給管２１，２２は、第１混合管５１に対応する第１ガス供給管２１と、第２混合管５２に対応する第２ガス供給管２２とで構成されている。
【００３３】
一対のガス供給管２１，２２には、例えば、ガス管１３（図６参照）から燃料ガスが供給される。図４に示すように、各ガス供給管２１，２２の下流側端部は、バーナー台３の上方に位置している。各ガス供給管２１，２２の下流側端部は、左右方向と平行な直線状に延びた管状に形成されており、対応する混合管５１，５２の流入口５１０，５２０に向かって燃料ガスを吹き出す吹出部２１０，２２０を構成している。
【００３４】
第１ガス供給管２１の吹出部２１０と、第２ガス供給管２２の吹出部２２０とは、前後方向に並んでいる。第１ガス供給管２１の下流端開口（吹出部２１０の下流端開口）と、第２ガス供給管２２の下流端開口（吹出部２２０の下流端開口）とは、左右方向において同位置に配されている。
【００３５】
本実施形態の調理器本体２は、図６に示すように、複数の器具栓１４、制御部１５及び複数の操作部２５（図１参照）を更に備えている。器具栓１４は、ガス供給管２１，２２毎に設けられており、対応するガス供給管２１又は２２に設けられた、開閉弁１６、流量調節弁１７及び安全弁１８を有している。制御部１５は、例えば、マイクロコンピューターからなる。操作部２５は、加熱調理器１の利用者によって操作される。各バーナー４は、対応する操作部２５が操作されることで、各バーナー４の点火と消火の切換え、火力調整等が行われる。
【００３６】
バーナー４の点火は、例えば、操作部２５と連動して器具栓１４の開閉弁１６が開き、かつ、制御部１５が対応する点火プラグ２４（図２参照）を駆動することによって行われる。これにより、対応するバーナー４に第１ガス供給管２１及び第２ガス供給管２２から燃料ガスが供給され、複数の第１炎孔４４１及び複数の第２炎孔４４２から吹き出された燃料ガスに火が付いて、バーナー４が燃焼状態となる。また、バーナー４の消火は、操作部２５と連動して器具栓１４の開閉弁１６が閉じられることによって行われる。これにより、第１混合管５１及び第２混合管５２からバーナー４への燃料ガスの供給が停止され、バーナー４が消火状態となる。また、バーナー４の火力調整は、操作部２５と連動して器具栓１４の流量調節弁１７の開度が変更されることによって行われる。これにより、複数の第１炎孔４４１又は複数の第２炎孔４４２から吹き出される燃料ガスの流量が変更され、バーナー４の火力が変更される。
【００３７】
図２に示すように、本実施形態の調理器本体２は、複数のガス供給管２１，２２を支持する、複数の支持具６を更に有している。本実施形態では、一対のバーナー４に一つずつ支持具６が設けられており、調理器本体２は、一対の支持具６を有している。各支持具６は、同様の構成を有するため、以下では、左側に位置する一方の支持具６について詳述し、他の支持具６における一方の支持具６と同様の構成については説明を省略する。
【００３８】
支持具６は、対応するバーナー４が設置されたバーナー台３に取り付けられている。支持具６は、一対のバーナー４の間に位置しており、対応するバーナー４の一対の流入口５１０，５２０に対向している。図４に示すように、支持具６は、対応するバーナー４に燃料ガスを供給する第１ガス供給管２１及び第２ガス供給管２２を下方から支持している。
【００３９】
本実施形態の支持具６は、金属製であって、金属板を曲げ加工することで形成されている。具体的に支持具６は、図４及び図７に示すように、前後対称な形状を有している。支持具６は、対応するバーナー台３に固定される固定部６０を有している。固定部６０は、固定部６０の主体を構成する板状部６３を有している。板状部６３は、水平な平板状に形成されており、図４に示すように、対応するバーナー台３の台板部３０の上面に沿っている。
【００４０】
図７に示すように、本実施形態の固定部６０は、複数の嵌込部６４を更に有している。固定部６０は、複数の嵌込部６４として、板状部６３におけるバーナー４側の端部から下方に向かって突出した前後一対の嵌込部６４と、板状部６３におけるバーナー４とは反対側の端部から下方に向かって突出した前後一対の嵌込部６４とを有している。ここで、「バーナー４側」とは、左側の支持具６にあっては、左側を意味し、右側の支持具６にあっては、右側を意味する。また、「バーナー４とは反対側」とは、左側の支持具６にあっては、右側を意味し、右側の支持具６にあっては、左側を意味する。
【００４１】
図８Ａに示すように、本実施形態のバーナー台３の台板部３０には、支持具６の複数の嵌込部６４にそれぞれ一対一で対応する複数の嵌込孔３１が形成されている。各嵌込孔３１は、台板部３０を上下方向に貫通している。支持具６の各嵌込部６４は、対応する嵌込孔３１におけるバーナー４側の端部を上下方向に通過している。支持具６の各嵌込部６４は、台板部３０における対応する嵌込孔３１の前後の縁部により、前後方向の移動が規制されている。
【００４２】
図７に示すように本実施形態の支持具６は、第１支持片６１を更に有している。第１支持片６１は、板状部６３と一体に形成されており、板状部６３におけるバーナー４側の端部から上方に向かって突出している。第１支持片６１は、前後一対の支持部６１０を有している。
【００４３】
本実施形態の支持具６は、前後一対の第２支持片６２を更に有している。一対の第２支持片６２は、板状部６３と一体に形成されており、板状部６３における対応するバーナー４とは反対側の端部から上方に向かって突出している。各第２支持片６２は、支持部６２０を有している。すなわち、各支持具６は、複数の支持部６１０，６２０を有している。本実施形態の各支持部６１０，６２０は、上方に開口した切欠の縁部によって構成されている。
【００４４】
図４に示すように、第１支持片６１の後側の支持部６１０及び後側の第２支持片６２の支持部６２０には、第１ガス供給管２１の吹出部２１０が嵌め込まれている。第１支持片６１の後側の支持部６１０及び後側の第２支持片６２の支持部６２０は、第１ガス供給管２１の吹出部２１０を、前後方向の移動を規制した状態で下方から支持している。
【００４５】
第１支持片６１の前側の支持部６１０及び前側の第２支持片６２の支持部６２０には、第２ガス供給管２２の吹出部２２０が嵌め込まれている。第１支持片６１の前側の支持部６１０及び前側の第２支持片６２の支持部６２０は、第２ガス供給管２２の吹出部２２０を、前後方向の移動を規制した状態で下方から支持している。
【００４６】
図２に示すように、本実施形態の調理器本体２は、複数の移動規制具７を更に有している。複数の移動規制具７は、複数のガス供給管２１，２２の上方への移動を規制する、本実施形態では、一対のバーナー４に一つずつ移動規制具７が設けられており、調理器本体２は、計一対の移動規制具７を有している。各移動規制具７は同様の構成を有しているため、以下では、一方の移動規制具７について詳述し、他方の移動規制具７における一方の移動規制具７と同様の構成については説明を省略する。
【００４７】
図４に示すように、移動規制具７は、対応するバーナー４が設置されたバーナー台３に取り付けられている。移動規制具７は、対応するバーナー台３に取り付けられた支持具６の上方に位置している。移動規制具７は、対応するバーナー４に燃料ガスを供給する第１ガス供給管２１及び第２ガス供給管２２の上方への移動を規制する。
【００４８】
本実施形態の移動規制具７は、金属製であって、金属板を曲げ加工することで形成されている。具体的に移動規制具７は、図５に示すように、左右方向に見てＭ字状に形成されており、前後対称な形状を有している。
【００４９】
本実施形態の移動規制具７は、取付部７０を有している。取付部７０は、上下方向と直交する平板状に形成されている。取付部７０は、対応する支持具６の板状部６３の上面に沿っている（図４参照）。
【００５０】
本実施形態の移動規制具７は、前後一対の移動規制部７１を有している。一対の移動規制部７１は、第１ガス供給管２１及び第２ガス供給管２２にそれぞれ一対一で対応している。一対の移動規制部７１は、取付部７０における前後方向の両端にそれぞれ繋がっており、取付部７０と一体に形成されている。
【００５１】
各移動規制部７１は、曲部７２と、脚部７３とを有している。各曲部７２は、取付部７０における前後方向の一端につながっており、左右方向に見て上端部を頂部とした山形に曲がった形状を有している。各脚部７３は、対応する曲部７２における取付部７０とは反対側の端部から、前後方向の外側に向かって突出している。各脚部７３は、対応するバーナー台３の台板部３０の上面に沿っている（図４参照）。
【００５２】
本実施形態の移動規制具７は、一対の移動規制部７１にそれぞれ一対一で対応する、一対の引掛部７４を更に有している。各引掛部７４は、対応する移動規制部７１における取付部７０とは反対側の端部につながっており、対応する移動規制部７１と一体に形成されている。一対の移動規制部７１は、一対の引掛部７４の間に位置し、各移動規制部７１は、取付部７０と対応する引掛部７４との間に位置している。
【００５３】
各引掛部７４は、対応する移動規制部７１の脚部７３におけるバーナー４側の端部から、下方に向かって突出している。各引掛部７４は、前後方向に見てＬ字状に形成されており、下端部からバーナー４側に向かって突出した先部７５を有している。
【００５４】
本実施形態のバーナー台３の台板部３０には、対応する移動規制具７の一対の引掛部７４にそれぞれ一対一で対応する一対の引掛孔３２が形成されている。各引掛孔３２は、台板部３０を上下方向に貫通している。移動規制具７の各引掛部７４は、図４に示すように、対応する引掛孔３２を上下方向に通過し、先部７５が台板部３０における対応する引掛孔３２のバーナー４側の縁部の下方に位置して引っ掛けられている。これにより、移動規制具７は、上方への移動が規制されている。
【００５５】
移動規制具７の取付部７０と支持具６の板状部６３とは、固着具によってバーナー台３に固定されている。本実施形態の固着具は、ねじ２７である。図５に示すように、移動規制具７の取付部７０には、上下方向に貫通し、ねじ２７が通される取付用孔７６が形成されている。本実施形態の取付用孔７６は、上方から見て取付部７０の中央部に位置しており、取付部７０に一つだけ形成されている。支持具６の板状部６３において移動規制具７の取付用孔７６に対応する箇所には、板状部６３を上下方向に貫通した固定用孔６５が形成されている。本実施形態では、固定用孔６５が板状部６３の中央部に形成されており、固定用孔６５は板状部６３に一つだけ形成されている。
【００５６】
移動規制具７の取付用孔７６と、支持具６の固定用孔６５とには、図４に示すように、ねじ２７が通っている。ねじ２７は、バーナー台３に形成されたねじ孔３３（図８Ａ参照）にねじ込まれている。移動規制具７の取付部７０と、支持具６の板状部６３とは、ねじ２７の頭部と、バーナー台３の台板部３０とで上下に挟まれている。これにより、移動規制具７及び支持具６は、共通の一本のねじ２７によってバーナー台３に固定されている。
【００５７】
本実施形態の移動規制具７は、バーナー台３に固定される前の外力が加わらない自然状態において、取付部７０が、移動規制具７におけるバーナー台３の上面に接する下面（詳しくは、各脚部７３の下面）よりも上方に位置する。このため、移動規制具７は、取付部７０がねじ２７の頭部によって下方に押され、かつ、取付部７０の各脚部７３に対する上下位置が前記自然状態と比較して下方に位置するように撓んで弾性変形した状態で、バーナー台３に固定されている。
【００５８】
移動規制具７の一対の曲部７２の頂部の内側には、第１ガス供給管２１の吹出部２１０及び第２ガス供給管２２の吹出部２２０がそれぞれ嵌め込まれている。各曲部７２の頂部は、対応するガス供給管２１，２２の吹出部２１０，２２０の上方に位置し、対応するガス供給管２１，２２の吹出部２１０，２２０の上方への移動を規制している。これにより、各ガス供給管２１，２２の位置ずれが抑制される。
【００５９】
本実施形態の移動規制具７は、取付部７０を介してつながった一対の移動規制部７１によって、第１ガス供給管２１及び第２ガス供給管２２の各々を上方から押さえる。すなわち、本実施形態では、一つの移動規制具７だけを用いて一対のガス供給管２１，２２の移動が規制される。したがって、加熱調理器１の部品点数を削減し、かつ、加熱調理器１を容易に製造できる。
【００６０】
また、本実施形態の移動規制具７は、上述したように弾性変形することで、一対の移動規制部７１が一対のガス供給管２１，２２をそれぞれ下方に押す弾性力を発生する。このため、一対のガス供給管２１，２２は、対応するバーナー台３に対して強固に固定される。
【００６１】
本実施形態の各移動規制部７１の曲部７２の頂部には、曲部７２の厚み方向に貫通した嵌合孔７７が形成されている。具体的に各嵌合孔７７は、上方から見て前後方向に延びたスリットである。本実施形態の各ガス供給管２１，２２は、嵌合部２６を有している。各嵌合部２６は、対応する吹出部２１０又は２２０の外周面から突出した鍔状の部分である。各嵌合部２６は、対応する移動規制部７１の嵌合孔７７に嵌め込まれており、対応する移動規制部７１の嵌合孔７７の左右の縁部によって左右方向の移動が規制されている。
【００６２】
図７に示すように、本実施形態の支持具６は、前後一対の規制片６６を更に有している。一対の規制片６６は、移動規制具７（図４参照）の上方への移動を規制する。一対の規制片６６は、固定部６０における前後方向の両端部にそれぞれつながっており、各規制片６６は、固定部６０と一体に形成されている。
【００６３】
各規制片６６は、固定部６０におけるバーナー４とは反対側の端部から上方に向かって突出している。各規制片６６は、前後方向に見て逆Ｌ字状に形成されており、その上端部にバーナー４側に向かって突出した押さえ部６７を有している。各押さえ部６７は、図４に示すように、対応する移動規制具７の脚部７３の上面に位置し、対応する脚部７３の上方への移動を規制する。
【００６４】
上述した、支持具６、第１ガス供給管２１、第２ガス供給管２２及び移動規制具７は、例えば、作業者によって以下に示すように、対応するバーナー台３に固定される。まず、作業者は、図８Ａに示すように、支持具６をバーナー台３の上方に配置する。続いて作業者は、支持具６を下方に動かし、図８Ｂに示すように、固定部６０をバーナー台３の台板部３０に載せ、かつ、複数の嵌込部６４をバーナー台３の複数の嵌込孔３１にそれぞれ上方から嵌め込む。このとき、作業者は、各嵌込部６４を、対応する嵌込孔３１におけるバーナー４とは反対側の端部に嵌め込む。これにより、支持具６は、前後両方向及びバーナー４とは反対側への移動が規制される。図８Ｂに示す状態において、支持具６は、バーナー台３の台板部３０の上面に沿ってバーナー４側にスライド可能である。
【００６５】
次に作業者は、図９Ａに示すように、第１ガス供給管２１の吹出部２１０及び第２ガス供給管２２の吹出部２２０を、支持具６の複数の支持部６１０（図７参照），６２０に嵌め込む。これにより、第１ガス供給管２１及び第２ガス供給管２２は、複数の支持部６１０，６２０によって下方から支持され、かつ、前後両方向の移動が規制される。
【００６６】
次に作業者は、移動規制具７を第１ガス供給管２１及び第２ガス供給管２２の上方に配置する。続いて作業者は、移動規制具７を下方に移動し、この後、移動規制具７をバーナー４側に移動する。このようにすることで、移動規制具７の各脚部７３は、図９Ｂに示すように、バーナー台３の台板部３０に載り、かつ、各引掛部７４が対応する引掛孔３２に挿入されて、各引掛部７４の先部７５（図９Ａ参照）が対応する引掛孔３２のバーナー４側の縁部の下方に位置する。これにより、移動規制具７は、バーナー台３に対する前後方向、上方及びバーナー４側への移動が規制される。
【００６７】
また、上述のように移動規制具７が下方に動かされたとき、移動規制具７の各移動規制部７１に対応するガス供給管２１又は２２が嵌め込まれ、かつ、各嵌込孔３１に対応するガス供給管２１又は２２の嵌込部６４が嵌め込まれる。また、この後、移動規制具７がバーナー４側に動かされたとき、第１ガス供給管２１の吹出部２１０及び第２ガス供給管２２の吹出部２２０が、移動規制具７と共にバーナー４側に移動して、各ガス供給管２１，２２の下流端開口が所定位置に配置される。また、バーナー４側に移動した移動規制具７の取付用孔７６が、上下方向に見てバーナー台３のねじ孔３３（図８Ａ参照）と重なる位置に配置される。支持具６は、図９Ｂに示す状態において、バーナー台３に対して未だねじ２７（図４参照）で固定できない未固定位置にある。
【００６８】
次に作業者は、支持具６をバーナー台３の台板部３０の上面に沿ってバーナー４側にスライドし、図９Ｃに示すように、支持具６の各規制片６６の押さえ部６７を、移動規制具７の対応する脚部７３の上面に位置させる。これにより、各脚部７３が対応する押さえ部６７によって上方から押さえられ、移動規制具７の上方への移動が規制される。また、支持具６の固定用孔６５（図９Ａ参照）が、上下方向に見てバーナー台３のねじ孔３３（図８Ａ参照）及び移動規制具７の取付用孔７６と重なる位置に配置される。すなわち、支持具６は、バーナー台３に対してねじ２７（図４参照）で固定可能な固定位置に配置される。
【００６９】
次に作業者は、移動規制具７の取付用孔７６と、この取付用孔７６に通じる支持具６の固定用孔６５とに、上方からねじ２７を挿入し、このねじ２７をバーナー台３のねじ孔３３（図８Ａ参照）にねじ込む。これにより、移動規制具７及び支持具６は、図４に示すように、バーナー台３に対して固定される。
【００７０】
上述のように、移動規制具７を固定するためのねじ２７を、バーナー台３のねじ孔３３（図８Ａ参照）にねじ込むとき、移動規制具７は、各引掛部７４がバーナー台３に引っ掛けられて上方への移動が規制された状態で、取付部７０がねじ２７の頭部によって下方に押されて弾性変形する。このため、各ガス供給管２１，２２は、弾性変形した移動規制具７の弾性力によって、対応する移動規制部７１から下方に向かって押される。したがって、各ガス供給管２１，２２は、バーナー台３に対して強固に固定される。
【００７１】
本実施形態の支持具６は、上述したように、バーナー台３の上面に沿ってバーナー４側に移動することで、一対の規制片６６が移動規制具７の上方への移動を規制しない図９Ｂに示す未固定位置から、一対の規制片６６が移動規制具７の上方への移動を規制する図９Ｃに示す固定位置まで、移動可能である。すなわち、作業者は、支持具６をバーナー台３に沿った一方向に移動するだけで、移動規制具７の上方への移動を規制することができる。
【００７２】
ところで、バーナー４の燃焼時において、バーナー４の図３に示す炎孔４４１，４４２が煮汁等によって閉塞されると、火炎が対応する混合管５１又は５２内を逆流して流入口５１０又は５２０（図５参照）から吹き出す逆火が生じる可能性がある。この逆火は、第１混合管５１の第１流入口５１０及び第２混合管５２の第２流入口５２０のいずれにおいても起こり得る。そこで、本実施形態の加熱調理器１は、各バーナー４の逆火の発生を検知し、逆火が生じたバーナー４を消火できるように構成されており、以下、この点について詳述する。
【００７３】
図２に示すように、本実施形態の調理器本体２は、複数の感熱素子２８を更に有している。本実施形態の感熱素子２８は、複数のバーナー４に一つずつ設けられており、調理器本体２は、一対の感熱素子２８を有している。各感熱素子２８は、同様の構成を有するため、以下では、左側に位置する一方の感熱素子２８について詳述し、他方の感熱素子２８における一方の感熱素子２８と同様の構成については説明を省略する。
【００７４】
図５に示すように、感熱素子２８は、感熱部２８０を有している。感熱部２８０は、感熱素子２８において、対応するバーナー４において逆火が生じたとき、流入口５１０，５２０から吹き出された火炎により生じた熱気の温度情報を検知する部分である。本実施形態の感熱素子２８は、サーミスターであり、対応する支持具６に固定されている。
【００７５】
図２に示すように、本実施形態の調理器本体２は、複数のガイド部材８を更に有している。本実施形態では、ガイド部材８が複数のバーナー４に一つずつ設けられており、調理器本体２は、計一対のガイド部材８を有している。各ガイド部材８は、同様の構成を有するため、以下では、左側に位置する一方のガイド部材８について詳述し、他方のガイド部材８における一方のガイド部材８と同様の構成については説明を省略する。
【００７６】
図４に示すように、ガイド部材８は、対応するバーナー４の第１混合管５１及び第２混合管５２の上流側に位置しており、バーナー４に取り付けられている。ガイド部材８は、バーナー４において上述した逆火が生じたとき、第１流入口５１０から吹き出した火炎により生じた熱気である第１の熱気及び第２流入口５２０（図５参照）から吹き出した火炎により生じた熱気である第２の熱気を感熱素子２８に導く。
【００７７】
本実施形態のガイド部材８は、金属製であって、金属板を曲げ加工することで形成されている。具体的にガイド部材８は、図５に示すように、前後対称な形状を有しており、固着部８０と、一対の庇部８１，８２とを有している。固着部８０は、鉛直で前後方向に延びた平板状に形成されており、バーナー本体４０における他方のバーナー４側の端面４９に沿っている。固着部８０は、図４に示すように、複数の固着具１１によって対応するバーナー本体４０に取り付けられている。これにより、ガイド部材８は、対応するバーナー本体４０に取り付けられている。各固着具１１は、例えば、ねじである。
【００７８】
ガイド部材８は、支持具６及び移動規制具７が、バーナー台３に取り付けられた後において、バーナー４に取り付けられてもよい。また、ガイド部材８は、支持具６及び移動規制具７が、バーナー台３に取り付けられる前において、バーナー４に取り付けられてもよい。
【００７９】
ガイド部材８の固着部８０には、前後一対の通気孔８３が形成されている。一対の通気孔８３は、対応するバーナー４の一対の流入口５１０，５２０にそれぞれ一対一で対応している。各通気孔８３は、左右方向に見て、対応する流入口５１０又は５２０と重なっている。第１ガス供給管２１及び第２ガス供給管２２から吹き出された燃料ガスは、一対の通気孔８３及び一対の流入口５１０，５２０を通過して、一対の混合管５１，５２に流入する。
【００８０】
固着部８０の上縁は、前後方向における中央を頂点として、この頂点から前後方向の両端に近い部分ほど低くなっている。固着部８０の上縁には、前後一対の庇部８１，８２がつながっている。図５に示すように、一対の庇部８１、８２は、隙間８４０を介して前後方向に並んでいる。一対の庇部８１，８２は、互いに前後対称な形状を有している。以下、必要に応じて、一対の庇部８１，８２のうち、後側に位置する庇部を第１庇部８１といい、前側に位置する庇部を第２庇部８２という。
【００８１】
各庇部８１，８２は、上板部８１０又は８２０と、垂板部８１１又は８２１とを有している。以下、必要に応じて、第１庇部８１の上板部８１０及び垂板部８１１を、それぞれ、第１上板部８１０及び第１垂板部８１１といい、第２庇部８２の上板部８２０及び垂板部８２１を、それぞれ、第２上板部８２０及び第２垂板部８２１という。第１上板部８１０は、固着部８０の上縁部の後部から、バーナー４とは反対側に向かって突出している。
【００８２】
図１０に示すように、第１上板部８１０は、第１流入口５１０に隣接した第１流入口５１０の上流側に位置する領域の上方に位置している。第１上板部８１０は、後端に近い部分ほど下方に位置するように傾斜している。
【００８３】
第２上板部８２０は、固着部８０の上縁部の前部から、バーナー４とは反対側に向かって突出している。第２上板部８２０は、第２流入口５２０に隣接した第２流入口５２０の上流側に位置する領域の上方に位置している。第２上板部８２０は、前端に近い部分ほど下方に位置するように傾斜している。
【００８４】
図５に示すように、第１上板部８１０と、第２上板部８２０との間には、上下両方向に開口した隙間８４１がある。以下、この隙間を第１隙間８４１という。第１上板部８１０における前端部のバーナー４とは反対側の部分には、前方及びバーナー４とは反対側に向かって開口した切欠８１２が形成されている。第２上板部８２０における後端部のバーナー４とは反対側の部分には、後方及びバーナー４とは反対側に向かって開口した切欠８２２が形成されている。第１隙間８４１を、切欠８１２，８２２が形成されていないバーナー４側に位置する領域８４３と、切欠８１２，８２２が形成されたバーナー４とは反対側の領域８４４とに分けたとき、領域８４４の前後方向の幅は、領域８４３の前後方向の幅よりも大きい。
【００８５】
第１垂板部８１１は、第１上板部８１０におけるバーナー４とは反対側の端部から下方に向かって突出している。第１垂板部８１１は、第１上板部８１０におけるバーナー４とは反対側の縁の全長にわたって形成されている。第１垂板部８１１は、第１ガス供給管２１の吹出部２１０の上方に位置している（図４参照）。
【００８６】
第２垂板部８２１は、第２上板部８２０におけるバーナー４とは反対側の端部から下方に向かって突出している。第２垂板部８２１は、第２上板部８２０におけるバーナー４とは反対側の縁の全長にわたって形成されている。第２垂板部８２１は、第２ガス供給管２２の吹出部２２０の上方に位置している（図４参照）。
【００８７】
第１垂板部８１１と、第２垂板部８２１との間には、下方及び左右両方向に開口した隙間８４２がある。以下、この隙間８２４を第２隙間８４２という。第２隙間８４２は、第１隙間８４１に連続した隙間である。
【００８８】
ガイド部材８は、流路８５を有している。流路８５は、ガイド部材８の外側に向かって開口した出口８４を含んでおり、対応するバーナー４の逆火による火炎によって生じた熱気を出口８４へと導く。
【００８９】
本実施形態の流路８５は、固着部８０と一対の庇部８１，８２とで構成されており、下方に開口した溝状に形成されている。流路８５の出口８４は、一対の庇部８１，８２の間に形成された隙間８４０で構成されている。具体的に出口８４は、第１上板部８１０、第１垂板部８１１、第２上板部８２０及び第２垂板部８２１で囲まれており、第１隙間８４１と第２隙間８４２とで構成されている。
【００９０】
本実施形態の流路８５は、第１流路８５１と、第２流路８５２とを有している。第１流路８５１は、第１庇部８１と、固着部８０の後部とで構成されており、下方に開口した溝状に形成されている。第１流路８５１の天井面は、第１上板部８１０の下面で構成されており、前端（第２流路８５２）に近い部分ほど上方に位置するように傾斜している。
【００９１】
第２流路８５２は、第２庇部８２と固着部８０の前部とで構成されており、下方に開口した溝状に形成されている。第２流路８５２の天井面は、第２上板部８２０の下面で構成されており、後端（第１流路８５１）に近い部分ほど上方に位置するように傾斜している。
【００９２】
第１混合管５１の第１流入口５１０から火炎が吹き出す逆火が発生したとき、第１上板部８１０はこの火炎の上方に位置する。このため、この火炎によって生じた第１の熱気は、第１流路８５１内を第１上板部８１０の傾斜した下面に沿って前方に流れ、この後、出口８４から流路８５の外側に流出する。
【００９３】
第２混合管５２の第２流入口５２０から火炎が吹き出す逆火が発生したとき、第２上板部８２０はこの火炎の上方に位置する。このため、この火炎により生じた第２の熱気は、第２流路８５２内を第２上板部８２０の傾斜した下面に沿って後方に流れ、この後、流路８５の出口８４から流路８５の外側に流出する。すなわち、本実施形態の流路８５は、第１の熱気と第２の熱気との両者を出口８４へと導く。
【００９４】
上述したように、第１上板部８１０と第２上板部８２０との間の第１隙間８４１は、バーナー４とは反対側の領域８４４の前後方向の幅が、バーナー４側の領域８４３の前後方向の幅よりも大きい。このため、第１流路８５１及び第２流路８５２の各々を流れる熱気の大半は、領域８４４を通ってガイド部材８の上方に流出する。
【００９５】
図１０及び図１１に示すように、感熱素子２８は、ガイド部材８に対して非接触の状態で、対応するガイド部材８の出口８４に位置している。すなわち、感熱素子２８は、ガイド部材８によって案内された熱気が通過する領域に位置している。本実施形態の感熱素子２８は、感熱部２８０の一部が、第１隙間８４１におけるバーナー４とは反対側の領域８４４に位置しており、流路８５の下流側端部、出口８４及び出口８４の下流側にわたっている。
【００９６】
感熱部２８０は、第１流路８５１内又は第２流路８５２内を流れ、出口８４を通って流路８５の外側に流出する熱気によって加熱される。図６に示す制御部１５は、感熱素子２８で検出した温度情報に基づいて、複数の安全弁１８を制御する。具体的に制御部１５は、感熱素子２８で検出した温度が所定温度を超えたとき、対応するバーナー４の各ガス供給管２１，２２に設けられた安全弁１８を閉じる。これにより、第１ガス供給管２１及び第２ガス供給管２２から対応するバーナー４に対して行われる燃料ガスの供給が停止され、対応するバーナー４が消火状態となる。したがって、各バーナー４において逆火が生じたときに、このバーナー４を消火状態とすることができる。
【００９７】
本実施形態では、逆火の発生により生じた熱気の流れる方向が、図１０の矢印及び図１１の矢印に示すように、ガイド部材８によって制御され、この熱気が通過する領域に感熱素子２８が位置している。このため、感熱素子２８を用いて逆火が生じたことを速やかに検知でき、バーナー４を速やかに消火状態にすることができる。
【００９８】
図４に示すように、本実施形態の感熱素子２８は、支持具６によって保持されている。支持具６は、感熱素子２８を保持する保持部６８を更に有している。保持部６８は、第１支持片６１につながっており、第１支持片６１と一体に形成されている。保持部６８は、水平で前後方向に延びた平板状に形成されており、第１支持片６１の上端部からバーナー４側に向かって突出している。
【００９９】
本実施形態の調理器本体２は、感熱素子２８を支持具６に取り付けるための取付具２９を更に有している。支持具６の保持部６８は、取付具２９を介して感熱素子２８を保持している。取付具２９は、保持部６８の上面に沿っている。取付具２９は、保持部６８に固着具１２で取り付けられている。固着具１２は、例えば、ねじである。
【０１００】
取付具２９における固着具１２よりもバーナー４側の部分には、感熱素子２８が取り付けられている。図１１に示すように、感熱部２８０は、取付具２９から下方に向かって突出している。これにより、感熱部２８０は、対応するガイド部材８の第１隙間８４１の領域８４４に位置している。
【０１０１】
本実施形態の感熱素子２８は、ガイド部材８とは別の部材である取付具２９に取り付けられて、ガイド部材８とは接触しておらず、感熱素子２８には、ガイド部材８の熱及びバーナー４の熱が伝わり難い。このため、感熱素子２８を用いて逆火により生じた熱気の温度情報を適切に検出できる。
【０１０２】
図５に示す感熱素子２８又は感熱素子２８が取り付けられる取付具２９は、支持具６及び移動規制具７がバーナー台３に取り付けられた後において、支持具６に取り付けられてもよい。また、感熱素子２８又は取付具２９は、支持具６及び移動規制具７がバーナー台３に取り付けられる前において、支持具６に取り付けられてもよい。本実施形態は、後者の場合において、特にガイド部材８がバーナー４に取り付けられた後に支持具６及び移動規制具７がバーナー台３に設置される場合に、有利である。すなわち、本実施形態のガイド部材８は、出口８４を構成する隙間８４０が、バーナー４とは反対側に向かって開口している。要するに、出口８４は、支持具６をバーナー台３に設置するときにおいて支持具６をスライドさせる方向と、逆方向に開口している。このため、支持具６をバーナー台３に取り付けるにあたって、上述したように、支持具６をバーナー台３の台板部３０の上面に沿ってバーナー４側にスライドしたときに、感熱素子２８がガイド部材８に接触し難く、施工しやすい。
【０１０３】
上記実施形態の加熱調理器１は、適宜設計変更可能である。例えば、本実施形態の感熱素子２８は、ガイド部材８の流路８５の出口８４に位置しているが、逆火が生じたことが感熱素子２８を用いて応答性良く検知できる位置であれば、出口８４の近傍に位置してもよい。ここで、本開示における「出口８４の近傍」とは、出口８４よりも下流側と出口８４よりも上流側とを含む出口８４から離れた位置であって、バーナー４において逆火が生じたときに、熱気によって感熱素子２８の温度が、逆火を検知できる程度に変化する位置である。また、出口８４は、隙間に限られず、孔であってもよい。
【０１０４】
また、本実施形態の加熱調理器１は、バーナー４の一対の混合管５１，５２で発生する逆火を、一つの感熱素子２８によって検知するように構成されている。しかし、感熱素子２８が一対の混合管５１，５２に対して一つずつ設けられ、各感熱素子２８によって対応する混合管５１，５２で発生する逆火が検知されるようにしてもよい。この場合、ガイド部材８は、例えば、一対の混合管５１，５２に対して一つずつ設けられて、対応する混合管５１又は５２から吹き出した火炎により生じた熱気を感熱素子２８に導くものであればよい。この場合、感熱素子２８は、ガイド部材８の出口８４又は出口８４の近傍のみならず、例えば、流路８５の上流部に位置してもよい。
【０１０５】
また、本実施形態の感熱素子２８は、ガイド部材８と非接触であるが、ガイド部材８と接触してもよい。また、感熱素子２８は、温度情報を検出する素子であればよく、熱電対、バイメタルスイッチ等であってもよい。
【０１０６】
また、移動規制具７は、バーナー台３に設置された状態において、一対のガス供給管２１，２２の上方に位置して一対のガス供給管２１，２２の上方への移動を規制するものであればよく、一対のガス供給管２１，２２を下方へ押す弾性力を発生させないものであってもよい。
【０１０７】
また、移動規制具７と支持具６とをバーナー台３に固定する固着具は、ねじ２７に限られず、リベット等であってもよい。また、移動規制具７は、複数のねじによってバーナー台３に固定されてもよい。また、移動規制具７は、ねじを用いず、例えば、複数の引掛部７４だけでバーナー台３に固定されてもよい。また、移動規制具７の引掛部７４の数は限定されない。また、移動規制具７の引掛部７４は、省略可能である。
【０１０８】
また、例えば、支持具６を省略し、バーナー台３によって一対のガス供給管２１，２２を支持してもよい。また、例えば、バーナー台３を省略し、ケーシング２０によって一対のガス供給管２１，２２を支持し、移動規制具７をケーシング２０に取り付けてもよい。
【０１０９】
また、各ガス供給管２１，２２は、管とこの管の先端に取り付けられたノズルとで構成されてもよい。この場合、ガス供給管２１，２２の下流側端部を構成する吹出部２１０，２２０は、ノズルによって構成される。
【０１１０】
また、バーナー４は、一対の混合管５１，５２を有する親子バーナーに限られず、混合管を一つのみ有するバーナーであってもよい。また、加熱調理器１は、バーナー４を一つだけ備えてもよいし、三つ以上備えてもよい。
【０１１１】
また、加熱調理器１は、ドロップインコンロに限られず、例えば、テーブルコンロであってもよい。また、本開示の技術は、バーナーを備えた加熱調理器であれば、ガスグリル、ガスオーブン等、ガスコンロ以外の加熱調理器にも適用可能である。
【０１１２】
以上説明した実施形態から明らかなように、第１の態様の加熱調理器（１）は、以下に示す構成を有している。加熱調理器（１）は、設置部と、一対のガス供給管（２１，２２）と、移動規制具（７）とを備えている。設置部には、バーナー（４）が設置される。一対のガス供給管（２１，２２）は、設置部上に位置し、バーナー（４）に燃料ガスを供給する。移動規制具（７）は、設置部に取り付けられる。移動規制具（７）は、一対の移動規制部（７１）を有している。一対の移動規制部（７１）は、一対のガス供給管（２１，２２）にそれぞれ一対一で対応する。一対の移動規制部（７１）の各々は、対応するガス供給管（２１又は２２）の上方への移動を規制する。
【０１１３】
この態様によれば、移動規制具（７）の一対の移動規制部（７１）により、一対のガス供給管（２１，２２）の上方への移動を規制でき、一対のガス供給管（２１，２２）の位置ずれを抑制できる。また、一つの移動規制具（７）だけを用いて一対のガス供給管（２１，２２）の移動を規制でき、加熱調理器（１）の部品点数を減らすことができる。
【０１１４】
また、第２の態様の加熱調理器（１）は、第１の態様との組み合わせにより実現され得る。第２の態様の加熱調理器（１）は、以下に示す構成を有している。移動規制具（７）は、取付部（７０）と、少なくとも一つの引掛部（７４）とを有している。取付部（７０）は、設置部に固着具で固定される。少なくとも一つの引掛部（７４）は、設置部に引っ掛けられる。移動規制具（７）は、取付部（７０）が設置部に固着具で固定され、かつ、少なくとも一つの引掛部（７４）が設置部に引っ掛けられた固定状態において、一対の移動規制部（７１）が一対のガス供給管（２１，２２）をそれぞれ下方に押す弾性力を発生する。
【０１１５】
この態様によれば、取付部（７０）を設置部に固着具で固定し、少なくとも一つの引掛部（７４）を設置部に引っ掛けて、移動規制具（７）を設置部に固定できる。また、移動規制具（７）に発生した弾性力によって、一対のガス供給管（２１，２２）を下方に押さえ付けることができ、一対のガス供給管（２１，２２）の移動を適切に規制することができる。
【０１１６】
また、第３の態様の加熱調理器（１）は、第２の態様との組み合わせにより実現され得る。第３の態様の加熱調理器（１）は、以下に示す構成を有している。移動規制具（７）は、少なくとも一つの引掛部（７４）として、一対の引掛部（７４）を有している。取付部（７０）は、一対の引掛部（７４）の間に位置している。
【０１１７】
この態様によれば、移動規制具（７）において、設置部に引っ掛けられる一対の引掛部（７４）が、固着具で固定される取付部（７０）の両側に配置される。このため、一対の移動規制部（７１）が一対のガス供給管（２１，２２）をバランス良く下方に押すように容易に構成できる。
【０１１８】
また、第４の態様の加熱調理器（１）は、第２又は第３の態様との組み合わせにより実現され得る。第４の態様の加熱調理器（１）は、以下に示す構成を有している。加熱調理器（１）は、支持具（６）を更に備えている。支持具（６）は、設置部に取り付けられ、一対のガス供給管（２１，２２）を下方から支持する。支持具（６）は、前記固着具により、設置部に対して固定される。
【０１１９】
この態様によれば、支持具（６）によって一対のガス供給管（２１，２２）を下方から支持して、一対のガス供給管（２１，２２）の移動をより適切に規制することができる。また、移動規制具（７）と支持具（６）とを共通の固着具を用いて設置部に固定できる。
【０１２０】
また、第５の態様の加熱調理器（１）は、第１〜第３のいずれか一つの態様との組み合わせにより実現され得る。第５の態様の加熱調理器（１）は、以下に示す構成を有している。加熱調理器（１）は、支持具（６）を更に備えている。支持具（６）は、設置部に取り付けられ、一対のガス供給管（２１，２２）を下方から支持する。支持具（６）は、規制片（６６）を有している。規制片（６６）は、移動規制具（７）の上方への移動を規制する。
【０１２１】
この態様によれば、一対のガス供給管（２１，２２）を支持する支持具（６）を利用して、移動規制具（７）の上方への移動を規制し、移動規制具（７）を設置部に強固に固定できる。このため、一対のガス供給管（２１，２２）の移動をより適切に規制することができる。
【０１２２】
また、第６の態様の加熱調理器（１）は、第５の態様との組み合わせにより実現され得る。第６の態様の加熱調理器（１）は、以下に示す構成を有している。支持具（６）は、設置部に沿う一方向に移動することで、規制片（６６）が移動規制具（７）の上方への移動を規制しない未固定位置から、規制片（６６）が移動規制具（７）の上方への移動を規制する固定位置まで、移動可能である。支持具（６）は、固定位置に位置した状態で、設置部に固定される。
【符号の説明】
【０１２３】
１  加熱調理器
２１  ガス供給管（第１ガス供給管）
２２  ガス供給管（第２ガス供給管）
２７  ねじ（固着具）
３  バーナー台（設置部）
４  バーナー
６  支持具
６６  規制片
７  移動規制具
７０  取付部
７１  移動規制部
７４  引掛部
【図１】
2020101332.tif 000003
【図２】
2020101332.tif 000004
【図３】
2020101332.tif 000005
【図４】
2020101332.tif 000006
【図５】
2020101332.tif 000007
【図６】
2020101332.tif 000008
【図７】
2020101332.tif 000009
【図８】
2020101332.tif 000010
【図９】
2020101332.tif 000011
【図１０】
2020101332.tif 000012
【図１１】
2020101332.tif 000013